【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  虹彩固定化眼内レンズにおいて、
a.  光学軸、前側および後側を有する光学素子、および
b.  少なくとも２つの固定化部材、ここで、該固定化部材の各々が近端領域および遠端領域を有し、該近端領域がそこから外側に略接線方向に延在するように前記光学素子の縁領域に固定された柔軟ストランドを含み、前記遠端領域が、実質的に均一な幅を有する少なくとも１つの狭い虹彩はさみ間隙であって、前記眼内レンズを虹彩の前表面に取外可能に取り付けるために虹彩組織の小さな表面セグメントを該間隙中に挟み込むための大きさの間隙がその中に画成されたループに形成されている、
を含むことを特徴とする虹彩固定化眼内レンズ。
【請求項２】  前記少なくとも１つのはさみ間隙が、前記光学軸に対して略垂直な線上に位置し、該光学軸から約4.25ｍｍの半径に配置されていることを特徴とする請求項１記載の虹彩固定化眼内レンズ。
【請求項３】  前記少なくとも２つの固定化部材が第１と第２の固定化部材を含み、該第１と第２の固定化部材が、互いに実質的に同じであり、前記光学軸の反対側で前記光学素子に取り付けられていることを特徴とする請求項１記載の虹彩固定化眼内レンズ。
【請求項４】  前記第１と第２の固定化部材が前記光学素子とは別に構成され、それにより前記眼内レンズがスリーピース眼内レンズであることを特徴とする請求項３記載の虹彩固定化眼内レンズ。
【請求項５】  前記光学素子が弾性変形性材料から構成されることを特徴とする請求項４記載の虹彩固定化眼内レンズ。
【請求項６】  前記弾性変形性材料がシリコーン材料であることを特徴とする請求項５記載の虹彩固定化眼内レンズ。
【請求項７】  前記弾性変形性材料がアクリル材料であることを特徴とする請求項５記載の虹彩固定化眼内レンズ。
【請求項８】  前記少なくとも２つの固定化部材の各々の遠端ループが、前記光学素子の後ろに位置する少なくとも実質的に共通な平面にあることを特徴とする請求項１記載の虹彩固定化眼内レンズ。
【請求項９】  前記少なくとも２つの固定化部材の各々の遠端ループが湾曲形状に細長くなっていることを特徴とする請求項１記載の虹彩固定化眼内レンズ。
【請求項１０】  虹彩固定化眼内レンズにおいて、
a.  光学軸、前側および後側を有する光学素子、および
b.  少なくとも２つの固定化部材、ここで、該固定化部材の各々が近端領域および遠端領域を有し、該近端領域がそこから外側に略接線方向に延在するように前記光学素子の縁領域に固定された柔軟ストランドを含み、前記遠端領域が、少なくとも１つの狭い虹彩はさみ間隙がその中に画成されたループに形成され、前記少なくとも２つの固定化部材の各々の遠端ループが湾曲形状に細長くなっており、各々の遠端ループが、該ループを第１と第２のセグメントに分割する手段を含んでいる、
を含むことを特徴とする虹彩固定化眼内レンズ。
【請求項１１】  前記分割手段が前記光学素子の光学軸に対して略垂直にあることを特徴とする請求項１０記載の虹彩固定化眼内レンズ。
【請求項１２】  前記第１のループセグメント内に画成された第１のはさみ間隙および前記第２のループセグメント内に画成された第２のはさみ間隙を含むことを特徴とする請求項１０記載の虹彩固定化眼内レンズ。
【請求項１３】  前記はさみ間隙が前記垂直線に対してある角度で画成されていることを特徴とする請求項２記載の虹彩固定化眼内レンズ。
【請求項１４】  前記少なくとも１つのはさみ間隙が、約0.05ｍｍから約0.25ｍｍまでの間の幅を有することを特徴とする請求項１記載の虹彩固定化眼内レンズ。
【請求項１５】  前記はさみ間隙が、約0.2ｍｍから約0.5ｍｍまでの間の長さを有することを特徴とする請求項１記載の虹彩固定化眼内レンズ。
【請求項１６】  前記眼内レンズが、約7.5ｍｍから約10ｍｍまでの間の全体の直径を有することを特徴とする請求項１記載の虹彩固定化眼内レンズ。
【請求項１７】  虹彩固定化眼内レンズにおいて、
a.  光学軸、前側および後側を有する光学素子、および
b.  第１と第２の固定化部材、ここで、該固定化部材の各々が近端領域および遠端領域を有し、該近端領域がそこから外側に略接線方向に延在するように前記光学素子の縁領域に固定された１つの柔軟ストランドを含み、前記遠端領域が、実質的に均一な幅を有し、前記光学軸に対して略垂直な線上に位置している１つの狭い虹彩はさみ間隙がその中に画成されたループに形成され、該間隙が、前記眼内レンズを虹彩の前表面に取外可能に取り付けるために虹彩組織の小さな表面セグメントを該間隙中に挟み込むための大きさである、
を含むことを特徴とする虹彩固定化眼内レンズ。
【請求項１８】  前記第１と第２の固定化部材が、互いに実質的に同じであり、前記光学軸の反対側で前記光学素子に取り付けられていることを特徴とする請求項１７記載の虹彩固定化眼内レンズ。
【請求項１９】  前記第１と第２の固定化部材の各々の遠端ループがほぼ共通の平面にあり、前記はさみ間隙が、前記光学素子の光学軸を通る直径Ｄ上に位置していることを特徴とする請求項１７記載の虹彩固定化眼内レンズ。
【請求項２０】  前記距離Ｄが約8.0ｍｍから約9.0ｍｍまでの間にあることを特徴とする請求項１９記載の虹彩固定化眼内レンズ。
【請求項２１】  前記第１と第２の固定化部材の各々の遠端ループが、前記光学軸に対して略平行な長軸を有する湾曲形状に細長くなっていることを特徴とする請求項１７記載の虹彩固定化眼内レンズ。
【請求項２２】  前記第１と第２の固定化部材の各々の遠端ループにあるはさみ間隙が、前記光学軸に最も近い前記ループの領域に位置していることを特徴とする請求項１７記載の虹彩固定化眼内レンズ。
【請求項２３】  虹彩固定化眼内レンズにおいて、
a.  光学軸、前側および後側を有する光学素子、および
b.  第１と第２の固定化部材、ここで、該固定化部材の各々が近端領域および遠端領域を有し、該近端領域がそこから外側に略接線方向に延在するように前記光学素子の縁領域に固定された１つの柔軟ストランドを含み、前記遠端領域が、前記光学軸に対して略垂直な線上に位置する狭い虹彩はさみ間隙をその中に画成するループに形成され、該第１と第２の固定化部材の各々の遠端ループにあるはさみ間隙が、前記光学軸から最も遠い該ループの領域に位置している、
を含むことを特徴とする虹彩固定化眼内レンズ。
【請求項２４】  虹彩固定化眼内レンズにおいて、
a.  光学軸、前側および後側を有する光学素子、および
b.  第１と第２の固定化部材、ここで、該固定化部材の各々が近端領域および遠端領域を有し、該近端領域がそこから外側に略接線方向に延在するように前記光学素子の縁領域に固定された１つの柔軟ストランドを含み、前記遠端領域が、前記光学軸に対して略垂直な線上に位置する狭い虹彩はさみ間隙をその中に画成するループに形成され、該遠端ループの各々が、該ループを第１と第２のループセグメントに分割する手段を含み、該分割手段が、前記光学軸に対して略垂直な線に沿って存在し、前記第１のループセグメント内に画成された第１のはさみ間隙および前記第２のループセグメント内に画成された第２のはさみ間隙を含んでいる、
を含むことを特徴とする虹彩固定化眼内レンズ。
【請求項２５】  前記はさみ間隙が、約0.05ｍｍから約0.25ｍｍまでの間の幅および約0.2ｍｍから約0.5ｍｍまでの間の長さを有することを特徴とする請求項１７記載の虹彩固定化眼内レンズ。
【請求項２６】  スリーピースの虹彩固定化眼内レンズにおいて、
a.  光学軸、前側および後側を有し、弾性変形性プラスチック材料から構成される光学素子、および
b.  第１と第２の固定化部材、ここで、該固定化部材の各々が近端領域および遠端領域を有し、該近端領域がそこから外側に略接線方向に延在するように前記光学素子の縁領域に取り付けられた１つの柔軟ストランドを含み、前記遠端領域が、実質的に均一な幅を有する少なくとも１つの狭い虹彩はさみ間隙であって、前記眼内レンズを虹彩の前表面に取外可能に取り付けるために虹彩組織の小さな表面セグメントを該間隙中に挟み込むための大きさの間隙がその中に画成されたループに形成されている、
を含むことを特徴とするスリーピース虹彩固定化眼内レンズ。
【請求項２７】  前記第１と第２の固定化部材が、互いに実質的に同じであり、前記光学軸の反対側で前記光学素子に取り付けられていることを特徴とする請求項２６記載のスリーピース虹彩固定化眼内レンズ。
【請求項２８】  前記第１と第２の固定化部材の各々の遠端ループにある少なくとも１つのはさみ間隙が、前記光学軸に最も近い該ループの領域に位置していることを特徴とする請求項２６記載のスリーピース虹彩固定化眼内レンズ。
【請求項２９】  スリーピースの虹彩固定化眼内レンズにおいて、
a.  光学軸、前側および後側を有し、弾性変形性プラスチック材料から構成される光学素子、および
b.  第１と第２の固定化部材、ここで、該固定化部材の各々が近端領域および遠端領域を有し、該近端領域がそこから外側に略接線方向に延在するように前記光学素子の縁領域に取り付けられた１つの柔軟ストランドを含み、前記遠端領域が、少なくとも１つの狭い虹彩はさみ間隙がその中に画成されたループに形成され、該前記第１と第２の固定化部材の各々の遠端ループにある少なくとも１つのはさみ間隙が、前記光学軸に最も遠い該ループの領域に位置している、
を含むことを特徴とするスリーピース虹彩固定化眼内レンズ。